(57)【要約】      （修正有）【課題】構造が簡単であり、極めて安価に提供することができる使い捨てのスリッパ用中敷を提供する。【解決手段】スリッパ３における台部５の上面５ａに対応する形状を有する踏み面７と、該踏み面の後部より下方向に延設したスリッパのかかと部９に対する係止部１１とを備えていることを特徴とする使い捨てのスリッパ用中敷。スリッパ３における台部５の上面５ａに対応する形状を有する踏み面７と、該踏み面における後部の下側に付設したスリッパのかかと部９に対する抱持部とを備えていることを特徴とする使い捨てのスリッパ用中敷。【選択図】図２
0003104856.tif 000002
【実用新案登録請求の範囲】
【請求項１】
スリッパにおける台部の上面に対応する形状を有する踏み面と、該踏み面の後部より下方向に延設したスリッパのかかと部に対する係止部とを備えていることを特徴とする使い捨てのスリッパ用中敷。
【請求項２】
スリッパにおける台部の上面に対応する形状を有する踏み面と、該踏み面における後部の下側に付設したスリッパのかかと部に対する抱持部とを備えていることを特徴とする使い捨てのスリッパ用中敷。
【考案の詳細な説明】
【技術分野】
【０００１】
本考案は、スリッパ用中敷に関するものであり、特に、旅館、ホテル、学校、病院、公民館等において不特定多数人が共用するスリッパに取り付けられる使い捨ての中敷に係るものである。なお、本考案によるスリッパ用中敷は、一般家庭におけるスリッパに取り付けても差し支えないことはいうまでもない。
【背景技術】
【０００２】
旅館、ホテル、学校、病院、公民館等に備え付けられているスリッパは、不特定多数人が共用するものであるため、多くのスリッパ使用者は不快感を持つと共に水虫等の皮膚病に感染するかも知れないという不安感を抱いている。
【０００３】
このような不快感、不安感を排除するための手段として、使い捨ての中敷をスリッパに取り付けることが考えられる。
【０００４】
実用新案登録第３０５２１９３号公報は、使い捨てのスリッパ用敷板を開示している。このスリッパ用敷板は多数種のシートを重ね合わせてなるものである。
【特許文献１】実用新案登録第３０５２１９３号公報
【考案の開示】
【考案が解決しようとする課題】
【０００５】
しかるに、上記従来のスリッパ用敷板は、多数種のシートを重ね合わせてなるものであるため、製造コストが嵩むという謗りを免れない。
【０００６】
このような点に鑑み、本考案は極めて安価に提供することができる使い捨てのスリッパ用中敷を提供しようとしてなされたものである。
【課題を解決するための手段】
【０００７】
上記課題を解決するために、本考案は下記の使い捨てのスリッパ用中敷を提供する。
【０００８】
（１）スリッパにおける台部の上面に対応する形状を有する踏み面と、該踏み面の後部より下方向に延設したスリッパのかかと部に対する係止部とを備えていることを特徴とする使い捨てのスリッパ用中敷（請求項１）。
【０００９】
（２）スリッパにおける台部の上面に対応する形状を有する踏み面と、該踏み面における後部の下側に付設したスリッパのかかと部に対する抱持部とを備えていることを特徴とする使い捨てのスリッパ用中敷（請求項２）。
【００１０】
［考案の作用］
［請求項１の考案］
スリッパ用中敷をスリッパに取り付ける際には、スリッパ用中敷の係止部をスリッパのかかと部に係止させた状態で、スリッパ用中敷の踏み面をスリッパにおける台部の上面に載置する。
【００１１】
スリッパ用中敷を上述の如くスリッパに取り付けた状態で使用者がスリッパを履いたときには、使用者の足はスリッパ用中敷の踏み面上に乗り、スリッパの台部に直接触れることはない。従って、不特定多数人が共用するスリッパの場合においても、このスリッパ用中敷を使用したときには、使用者が不快感あるいは水虫等の皮膚病に感染するかも知れないという不安感を持つことはない。
【００１２】
スリッパ用中敷は、その係止部をスリッパのかかと部に係止させているため、使用中に位置がずれることはない。
【００１３】
スリッパ用中敷は、スリッパ用中敷の係止部をスリッパのかかと部に係止させた状態でスリッパに取り付けられているに過ぎないため、いつでもスリッパから容易に取り外すことができる。
【００１４】
［請求項２の考案］
スリッパ用中敷をスリッパに取り付ける際には、スリッパ用中敷の抱持部にスリッパのかかと部を抱持させた状態で、スリッパ用中敷の踏み面をスリッパにおける台部の上面に載置する。
【００１５】
スリッパ用中敷を上述の如くスリッパに取り付けた状態で使用者がスリッパを履いたときには、使用者の足はスリッパ用中敷の踏み面上に乗り、スリッパの台部に直接触れることはない。従って、不特定多数人が共用するスリッパの場合においても、このスリッパ用中敷を使用したときには、使用者が不快感あるいは水虫等の皮膚病に感染するかも知れないという不安感を持つことはない。
【００１６】
スリッパ用中敷は、その抱持部にスリッパのかかと部を抱持させているため、使用中に位置がずれることはない。
【００１７】
スリッパ用中敷は、スリッパ用中敷の抱持部にスリッパのかかと部を抱持させた状態でスリッパに取り付けられているに過ぎないため、いつでもスリッパから容易に取り外すことができる。
【考案の効果】
【００１８】
本考案によるスリッパ用中敷は、構造が簡単であり、極めて安価に提供することができる。従って、本考案によるスリッパ用中敷は、旅館、ホテル、学校、病院、公民館等において不特定多数人が共用するスリッパ用に、使い捨ての中敷として好ましく使用することができる。
【考案を実施するための最良の形態】
【００１９】
図１は、使い捨てのスリッパ用中敷１の一例を示す。図１に示すスリッパ用中敷１は、紙により形成されている。但し、スリッパ用中敷１は、必ずしも紙により形成する必要はなく、布その他の材料により形成しても差し支えない。
【００２０】
スリッパ用中敷１は、スリッパ３における台部（底部）５の上面５ａに対応する形状を有する踏み面７と、該踏み面７の後部（図１における右部）より下方向に延設したスリッパ３のかかと部９に対する係止部１１とを備えている。
【００２１】
図１に示すスリッパ用中敷１の係止部１１は、踏み面７の後部を下方向に折曲して垂直の壁状に形成してなるものである。
【００２２】
図２は、図１に示すスリッパ用中敷１をスリッパ３に取り付けた状態を示す。図２においては、スリッパ用中敷１の係止部１１をスリッパ３のかかと部９に係止させた状態で、スリッパ用中敷１の踏み面７をスリッパ３における台部５の上面５ａに載置し、スリッパ用中敷１の前部１３をスリッパ３の甲被カバー部１５の内面に沿って折り返すと共にスリッパ用中敷１の前縁１７を甲被カバー部１５の上縁１９上に折り返している。
【００２３】
図３はスリッパ用中敷１の変形例を示す。このスリッパ用中敷１は、スリッパ３の甲被カバー部１５に対応する甲被カバー部２１を有し、該甲被カバー部２１の上縁に折り返し部２３を備えさせている。図３のスリッパ用中敷１をスリッパ３に取り付けた状態も図２と同様となる。
【００２４】
図４に示す事例においては、スリッパ３の甲被カバー部１５は前部に透孔２５を備えている。この事例においては、スリッパ用中敷１は、スリッパ３の甲被カバー部１５における透孔２５に対応する透孔２７を備えている。
【００２５】
図５に示すスリッパ用中敷１は、スリッパ３における台部５の上面５ａに対応する形状を有する踏み面７と、該踏み面７における後部の下側に付設したスリッパ３のかかと部９に対する抱持部２９とを備えている。
【００２６】
抱持部２９は、スリッパ３のかかと部９を挿入する収納孔３１を備えており、いわば袋状をなしている。即ち、抱持部２９は、スリッパ３のかかと部９を該収納孔３１に収納することにより、スリッパ３のかかと部９を抱持する。
【００２７】
図５に示すスリッパ用中敷１は、抱持部２９の下面に滑り止めシート３３を備えている。この滑り止めシート３３は抱持部２９を保護する作用をもなすものである。
【００２８】
上記いずれの事例においても、特にビニール製等の滑り易いスリッパ３に使用するスリッパ用中敷１の場合には、スリッパ３に接触する面に例えばシリコンを滲み込ませることにより滑り止めを施すことが望ましい。
【００２９】
また、スリッパ用中敷１には、適宜消臭剤を含ませることが望ましい。
【図面の簡単な説明】
【００３０】
【図１】スリッパ用中敷の一例を示す斜視図である。
【図２】同上スリッパ用中敷をスリッパに取り付けた状態を示す断面図である。
【図３】スリッパ用中敷の別の一例を示す斜視図である。
【図４】スリッパ用中敷の更に別の一例をスリッパに取り付けた状態を示す断面図である。
【図５】スリッパ用中敷の更に別の一例を示す斜視図である。
【図６】同上スリッパ用中敷をスリッパに取り付けた状態を示す断面図である。
【符号の説明】
【００３１】
１  スリッパ用中敷
３  スリッパ
５  台部
５ａ  上面
７  踏み面
９  かかと部
１１  係止部
１３  前部
１５  甲被カバー部
１７  前縁
１９  上縁
２１  甲被カバー部
２３  折り返し部
２５  透孔
２７  透孔
２９  抱持部
３１  収納孔
３３  滑り止めシート
【図１】
0003104856.tif 000003
【図２】
0003104856.tif 000004
【図３】
0003104856.tif 000005
【図４】
0003104856.tif 000006
【図５】
0003104856.tif 000007
【図６】
0003104856.tif 000008